(57)【特許請求の範囲】
【請求項１】
浴槽と洗い場パンの間に配設され作業口を開設したエプロン本体と、エプロン本体に着脱自在に取付けられてエプロン本体の洗い場側となる手前側を覆う外蓋とを備えた浴槽エプロンにおける外蓋の取付け構造において、エプロン本体と外蓋の間には、上方の外蓋前倒れ防止用係合具と、上下中間の外蓋落込み防止用支持具と、下方の外蓋外れ防止用ロック具とを備え、外蓋前倒れ防止用係合具は、エプロン本体の手前上方に設けたエプロン本体側係合部と、外蓋の裏側上方に設けた外蓋側係合部とを有し、外蓋を上下方向に沿って移動させることで両方の係合部どうしを係合させて外蓋の前倒れを防止し、外蓋落込み防止用支持具は、エプロン本体の手前上下中間に設けた受載部と、外蓋の裏側上下中間に設けた当接部とを有し、外蓋前倒れ防止用係合具の係合部どうしを係合させたまま外蓋を下方へ移動させて当接部を受載部に載置して外蓋の落込みを防止し、外蓋外れ防止用ロック具は、エプロン本体の下方に設けられ洗い場側からロック・非ロック操作ができる止め具と、外蓋の裏側下方に設けられ止め具と係合する受け部とを有し、外蓋落込み防止用支持具で外蓋の落込みを防止した状態のままロック操作で止め具を受け部に係合して外蓋の外れを防止し、非ロック操作で止め具と受け部を非係合にして外蓋を上下方向に沿って移動させることで外蓋の分離を可能としたことを特徴とする浴槽エプロンにおける外蓋の取付け構造。
【請求項２】
前記エプロン本体に取付けられて前記作業口を覆う内蓋を備え、前記外蓋で前記エプロン本体の洗い場側となる手前側を内蓋と共に覆う請求項１記載の浴槽エプロンにおける外蓋の取付け構造
【請求項３】
前記外蓋外れ防止用ロック具は、エプロン本体に止め具を水平方向へ摺動自在に支持し、外蓋の受け部に開口部を設け、外蓋を下方へ移動させることで開口部へ挿入した止め具を水平方向へ摺動させてロック・非ロック操作を行なうようにした請求項１又は２記載の浴槽エプロンにおける外蓋の取付け構造。
【請求項４】
前記外蓋外れ防止用ロック具は、エプロン本体に止め具を回動自在に枢支し、止め具に回止め部を設け、外蓋の受け部に開口周縁を弾性の板材で形成した開口部を設け、止め具の回動により回止め部が板材を弾性力に抗して変形させて開口周縁を乗越えてロック・非ロック操作を行なうようにした請求項１又は２記載の浴槽エプロンにおける外蓋の取付け構造。
【発明の詳細な説明】
【技術分野】
【０００１】
本発明は、浴槽と洗い場防水パンの間に設けた浴槽エプロンのエプロン本体へ外蓋を着脱自在に取付ける構造に関するものである。
【背景技術】
【０００２】
浴室には、浴槽と洗い場防水パンの間を仕切る浴槽エプロンを設け、洗い場側から浴槽の裏面側を見えなくしたものがある。浴槽エプロンは、浴槽及び洗い場防水パンに接続して固定したエプロン本体と、エプロン本体に設けた蓋付きの作業口を覆い隠すための外蓋とを備え、エプロン本体に外蓋を着脱自在に取り付けてある。
【０００３】
外蓋の着脱自在な取付け構造は、特許文献１に二つの構造が開示されている。一方の取付け構造は、エプロン本体の下辺部から突出する係合体と、外蓋の下辺部に形成され、外蓋をエプロン本体に重ね合わせて押し付けたとき係合体が係合する筒体と、エプロン本体の両縦辺部にそれぞれ１つ形成された受け爪と、外蓋の両縦辺部にそれぞれ１つ形成され、外蓋をエプロン本体に重ね合わせて押し付けたとき受け爪に係止される係止爪とを備えている。他方の取付け構造は、エプロン本体の上辺部から突出し凹みを備えた受け部と、外蓋の上辺部に形成され、受け部と係合して外蓋を揺動可能とする係合爪と、エプロン本体の両縦辺部にそれぞれ１つ形成された受け爪と、外蓋の両縦辺部にそれぞれ１つ形成され、外蓋をエプロン本体に重ね合わせて押し付けたとき受け爪に係止される係止爪と備えている。
【特許文献１】特開平１１−６１９０７号公報
【発明の開示】
【発明が解決しようとする課題】
【０００４】
前記二つの取付け構造は、外蓋を装着するときには、外蓋をエプロン本体に外蓋を重ね合わせて押し付けて受け爪に係止爪を係止させ、外蓋を取外すときには、受け爪及び係止爪の係止力に抗して外蓋を手前へ強制的に引張って係止状態を解除するものである。このように強制的に引張って係止状態を解除する従来構造では、子供のいたずら等で簡単に外蓋が簡単に外れないように、受け爪及び係止爪の係合力を強くする必要があるため、解除に大きな力を必要とする問題を招いていた。
【０００５】
本発明は、上記問題に鑑み大きな作業力を要することなく外蓋を着脱できる浴槽エプロンにおける外蓋の取付け構造を提供するものである。
【課題を解決するための手段】
【０００６】
大きな作業力を要することなく外蓋を着脱できるようにするために請求項１記載の本発明が採用した手段は、浴槽と洗い場パンの間に配設され作業口を開設したエプロン本体と、エプロン本体に着脱自在に取付けられてエプロン本体の洗い場側となる手前側を覆う外蓋とを備えた浴槽エプロンにおける外蓋の取付け構造において、エプロン本体と外蓋の間には、上方の外蓋前倒れ防止用係合具と、上下中間の外蓋落込み防止用支持具と、下方の外蓋外れ防止用ロック具とを備え、外蓋前倒れ防止用係合具は、エプロン本体の手前上方に設けたエプロン本体側係合部と、外蓋の裏側上方に設けた外蓋側係合部とを有し、外蓋を上下方向に沿って移動させることで両方の係合部どうしを係合させて外蓋の前倒れを防止し、外蓋落込み防止用支持具は、エプロン本体の手前上下中間に設けた受載部と、外蓋の裏側上下中間に設けた当接部とを有し、外蓋前倒れ防止用係合具の係合部どうしを係合させたまま外蓋を下方へ移動させて当接部を受載部に載置して外蓋の落込みを防止し、外蓋外れ防止用ロック具は、エプロン本体の下方に設けられ洗い場側からロック・非ロック操作ができる止め具と、外蓋の裏側下方に設けられ止め具と係合する受け部とを有し、外蓋落込み防止用支持具で外蓋の落込みを防止した状態のままロック操作で止め具を受け部に係合して外蓋の外れを防止し、非ロック操作で止め具と受け部を非係合にして外蓋を上下方向に沿って移動させることで外蓋の分離を可能としたことを特徴とする浴槽エプロンにおける外蓋の取付け構造である。
【０００７】
作業口を覆う内蓋を備えた態様に対応させるために請求項２記載の本発明が採用した手段は、前記エプロン本体に取付けられて前記作業口を覆う内蓋を備え、前記外蓋で前記エプロン本体の洗い場側となる手前側を内蓋と共に覆う請求項１記載の浴槽エプロンにおける外蓋の取付け構造である。
【０００８】
簡単な操作で外蓋外れ防止用ロック具のロック状態を確実に維持させるために請求項３記載の本発明が採用した手段は、前記外蓋外れ防止用ロック具は、エプロン本体に止め具を水平方向へ摺動自在に支持し、外蓋の受け部に開口部を設け、外蓋を下方へ移動させることで開口部へ挿入した止め具を水平方向へ摺動させてロック・非ロック操作を行なうようにした請求項１又は２記載の浴槽エプロンにおける外蓋の取付け構造である。
【０００９】
外蓋外れ防止用ロック具のロック状態を確実に維持させるために請求項４記載の本発明が採用した手段は、前記外蓋外れ防止用ロック具は、エプロン本体に止め具を回動自在に枢支し、止め具に回止め部を設け、外蓋の受け部に開口周縁を弾性の板材で形成した開口部を設け、止め具の回動により回止め部が板材を弾性力に抗して変形させて開口周縁を乗越えてロック・非ロック操作を行なうようにした請求項１又は２記載の浴槽エプロンにおける外蓋の取付け構造である。
【発明の効果】
【００１０】
請求項１記載の本発明に係る浴槽エプロンにおける外蓋の取付け構造は、取外し状態の外蓋を上下方向へ移動させて外蓋前倒れ防止用係合具の両方の係合部どうしを係合して外蓋の前倒れを防止すると共に、外蓋落込み防止用支持具の当接部を受載部に載置して外蓋の落込みを防止し、この状態で外蓋外れ防止用ロック具の止め具を洗い場側からロック操作して止め具を受け部に係合して外蓋を装着でき、逆に、洗い場側から非ロック操作して止め具を受け部と非係合にして外蓋を上下方向へ移動させて、外蓋落込み防止用支持具の受載部から当接部を分離すると共に外蓋前倒れ防止用係合具の両方の係合部の係合状態を解いて、外蓋を上下方向へ移動させてエプロン本体から外蓋を分離できるので、大きな作業力を要することなく外蓋の着脱が簡単にできる。
【００１１】
請求項２記載の本発明に係る浴槽エプロンにおける外蓋の取付け構造は、外蓋でエプロン本体の洗い場側となる手前側を内蓋と共に覆うので、エプロン本体に開設した作業口を覆う内蓋を備えた態様に対応させることができる。
【００１２】
請求項３記載の本発明に係る浴槽エプロンの外蓋の取付け構造は、外蓋落込み防止用支持具の当接部を受載部に載置させるように外蓋を下方へ移動させることで外蓋外れ防止用ロック具の開口部へ挿入した止め具を水平方向へ摺動させて止め具をロック・非ロック状態にできるため、止め具を水平方向へ摺動させる簡単な操作で外蓋外れ防止用ロック具のロック状態を確実に維持させることができる。
【００１３】
請求項４記載の本発明に係る浴槽エプロンの外蓋の取付け構造は、止め具の回動により回止め部が開口片部の弾性力に抗して開口周縁を乗越えるため、止め具のロック状態を確実に維持させることができる。
【発明を実施するための最良の形態】
【００１４】
本発明に係る浴槽エプロンにおける外蓋の取付け構造（以下、「本発明取付け構造」と言う。）を図面に示す実施形態に基づいて説明する。
【００１５】
（第１の実施の形態）
図１乃至図１１は第１の実施の形態に係る本発明取付け構造１の示すものであり、図１は本発明取付け構造１を有する浴室２の全体を縦断面して示すものであって中間省略した左側面図、図２はエプロン本体１０に外蓋１３を取付けた状態を示すものであって外蓋１３の一部を切欠いた正面図、図３は図１のイ部を拡大したものであってエプロン本体１０に外蓋１３を取付けた状態を示す縦断面した左側面図、図４は外蓋落込み防止用支持具１５の別態様を示す縦断面した左側面図、図５はエプロン本体１０を示す正面図、図６は外蓋１３を示す背面図、図７はエプロン本体１０に外蓋１３を取付ける前の状態を示す縦断面した左側面図、図８はエプロン本体１０に外蓋１３を取付ける途中の状態を示す縦断面した左側面図である。図９は外蓋外れ防止用ロック具１６を構成する受け部２２の開口部２３と止め具２１との関係を示すものであり、図（Ａ）及び図（Ｂ）は外蓋１３を下方（矢符Ｂ）へ移動させる途中において受け部２２の開口部２３へ止め具２１を挿入させる前の状態を示すものであり、図（Ａ）は図（Ｂ）のａ−ａ線で断面した正面図、図（Ｂ）は図（Ａ）のｂ−ｂ線で断面した側面図、図（Ｃ）は受け部２２の開口部２３へ止め具２１を挿入した状態を示す正面図、図（Ｄ）は止め具２１をロック操作して受け部２２に係合した状態を示す正面図、図（Ｅ）は止め具２１を落し込んで摺動不能の状態とした正面図である。図１０は別態様の外蓋外れ防止用ロック具２６を構成する受け部２２の開口部２３と止め具２５との関係を示すものであり、図（Ａ）及び図（Ｂ）は受け部２２の開口部２３へ止め具２５を係合させない非ロック状態を示すものであり、図（Ａ）は図（Ｂ）のａ−ａ線で断面した正面図、図（Ｂ）は図（Ａ）のｂ−ｂ線で断面した側面図、図（Ｃ）及び図（Ｄ）は止め具２５を回動させロック操作の途中を示すものであり、図（Ｃ）は断面した正面図、図（Ｄ）は断面した側面図、図（Ｅ）及び図（Ｆ）は止め具２５のロック状態を示すものであり、図（Ｅ）は断面した正面図、図（Ｆ）は断面した側面図である。図１１は更に別態様の外蓋外れ防止用ロック具２８を構成する受け部２２の開口部２３と止め具２７との関係を示すものであり、図（Ａ）及び図（Ｂ）は受け部２２の開口部２３へ止め具２７を係合させない非ロック状態を示すものであり、図（Ａ）は図（Ｂ）のａ−ａ線で断面した正面図、図（Ｂ）は図（Ａ）のｂ−ｂ線で断面した側面図、図（Ｄ）及び図（Ｃ）は止め具２７のロック状態を示すものであり、図（Ｃ）は断面した正面図、図（Ｄ）は断面した側面図である。
【００１６】
本発明取付け構造１を備えた浴室２は、図１に示す如く、浴槽３、洗い場用防水パン４、エプロン５、仕切部材６、架台７及び天井部材８を備えている。架台７は、浴槽２を支持する支持部７ａ及び洗い場用防水パン４を支持する支持部７ｂを備え、設置する浴槽２ａと洗い場用防水パン４の相対的な位置関係を決定している。浴室２は、浴槽３及び洗い場用防水パン４の周縁部に形成した載置部から複数枚の仕切部材６を立設させ、これら仕切部材６の上端に天井部材８を配設してある。本発明浴室構造１は、浴槽２、洗い場用防水パン４、エプロン５、仕切部材６及び天井部材８により、内側の浴室内空間Ｐと外側の浴室外空間Ｑとに区画してある。なお、浴室２は、図示は省略したが、浴槽３と架台７の間に浴槽用防水パンを備えることもある。
【００１７】
前記エプロン５に備えた本発明取付け構造１は、図３に示す如く、浴槽３と洗い場パン４の間に配設され作業口１１を開設したエプロン本体１０と、エプロン本体１０に着脱自在に取付けられてエプロン本体１０の洗い場側Ｐａとなる手前側を覆う外蓋１３とを備えると共に、エプロン本体１０と外蓋１３の間に、上方の外蓋前倒れ防止用係合具１４と、上下中間の外蓋落込み防止用支持具１５と、下方の外蓋外れ防止用ロック具１６とを備えている。本発明取付け構造１は、エプロン本体１０に取付けられて作業口１１を覆う内蓋１２を備え、外蓋１３でエプロン本体１０の洗い場側Ｐａとなる手前側を内蓋１２と共に覆うようにしてある。なお、本発明取付け構造１は、図示は省略しが、内蓋１２を省略して、外蓋１３で作業口１１を覆って、洗い場側Ｐａで飛散した水滴等を作業口１１へ浸入させない態様とすることもある。
【００１８】
前記上方の外蓋前倒れ防止用係合具１４は、図３及び図２に示す如く、エプロン本体１０の手前上方に設けた複数個のエプロン本体側係合部１７と、外蓋１３の裏側上方に設けた複数個の外蓋側係合部１８とを有し、図７に示す如く、外蓋１３を傾斜状態で上方へ移動させることで各外蓋側係合部１８の開口部１８ａに各エプロン本体側係合部１７の下向きの係止片１７ａを挿入して両方の係合部１７，１８どうしを係合させることで、外蓋１３の前倒れを防止するようにしてある（図３参照）。なお、外蓋前倒れ防止用係合具１４は、図示は省略したが、各外蓋側係合部１８に上向きの係止片を設けると共に各エプロン本体側係合部１７に開口部を設け、外蓋１３を傾斜状態で上方へ移動させることで各エプロン本体側係合部１７の開口部に各外蓋側係合部１８の上向きの係止片を挿入して両方の係合部１７，１８どうしを係合させることで、外蓋１３の前倒れを防止するようにすることも可能である。
【００１９】
前記外蓋落込み防止用支持具１５は、図３及び図２に示す如く、エプロン本体１０の手前上下中間に設けて左右方向へ延びる一個の受載部１９と、外蓋１３の裏側上下中間に設けて左右方向へ延びる複数個の当接部２０とを有し、前記外蓋前倒れ防止用係合具１４の係合部１７，１８どうしを係合させたまま外蓋１３を下方へ移動させて（移動途中を示す図８参照）当接部２０を受載部１９に載置し、受載部１９で外蓋１３の重量を支持して外蓋１３の落込みを防止してある。なお、支持具１５は、図４に示す如く、受載部１９及び当接部２０を手前へ行く程に上方へ行くように傾斜させ、当接部２０を受載部１９に載置した状態で外蓋１３の手前側への移動を阻止して安定よく外蓋13を支持させる構造とすることも可能である。
【００２０】
前記外蓋外れ防止用ロック具１６は、図３及び図２に示す如く、エプロン本体１０の下方に設けて洗い場側Ｐａから作業者がロック・非ロック操作をできるようにした止め具２１と、外蓋１３の裏側下方に設けて止め具２１を係合させる受け部２２とを有し、前記外蓋落込み防止用支持具１５で外蓋１３の落込みを防止した状態（図３に示す状態）のままロック操作で止め具２１を受け部２２に係合して外蓋１３がエプロン本体１０から分離するのを防止し、また、非ロック操作で止め具２１と受け部２２とを非係合にすることで、外蓋１３を上方へ持ち上げてエプロン本体１０から取り外すことができるようにしてある。ロック具１６は、図９に示す如く、エプロン本体１０に止め具２１を水平方向へ摺動自在に支持し、外蓋１３の受け部２２に左右方向に長い開口部２３を設け、同図（Ａ）及び（Ｂ）に示す如く、外蓋１３を下方へ移動させつつ外蓋１３の止め具２１をエプロン本体１０の開口部２３へ挿入してた後に、同図（Ｃ）乃至（Ｅ）に示す如く、止め具２１を水平方向へ摺動させてロック・非ロック操作ができるようになっている。
【００２１】
上記止め具２１は、正面コ字状の係合部２１ａと、横長Ｌ字状の摺動案内用孔部２１ｂ，２１ｃと、操作用突起部２１ｄとを備え、エプロン本体１０から突設した固定の案内軸２４の角状案内部２４ａで摺動案内用孔部２１ｂを案内して水平状態で左右方向へ摺動させ、コ字状の係合部２１ａを外蓋１３の受け部２２の開口部２３に係合・離脱させるようにしてある。止め具２１は、案内軸２４の角状案内部２４ａが摺動案内用孔部２１ｃへ到達したとき、図（Ｅ）示す如く自重で落ち込んで摺動できない状態とし、また、操作用突起部２１ｄを押し上げて摺動可能な状態へ復帰できるようにしてある。外蓋外れ防止用ロック具１６は、受け部２２の開口部２３へ挿入した止め具２１の水平方向への摺動で止め具２１をロック・非ロック状態にできるため、止め具２１を水平方向へ摺動させる簡単な操作で外蓋１３の外れないロック状態を確実に維持させることができる。
【００２２】
前記外蓋外れ防止用ロック具１６は、図９に示すように止め具２１を摺動させるタイプに限定されるものではなく、図１０及び図１１に示す如く、止め具２５，２７を揺動させるタイプを採用することも可能である。
【００２３】
図１０に示す揺動タイプの外蓋外れ防止用ロック具２６は、エプロン本体１０に止め具２５を揺動自在に枢支２９し、止め具２５に切欠いて段部２５ａを設け、段部２５ａに面する係止片２５ｂ及び段部２５ａの揺動先端側に面する出隅状の回止め部２５ｃを形成し、外蓋１３の受け部２２に開口周縁２３ａを弾性の板材で形成した開口部２３を設け、止め具２５の操作部２５ｄを矢符Ａ（図（Ａ）参照）へ回動操作することで、回止め部２５ｃが板材の弾性力に抗して開口周縁２３ａを上方へ湾曲変形させつつ開口周縁２３ａを乗越えて（図（Ｃ）及び図（Ｄ）参照）係止片２５ｂを開口部２３へ挿入したロック状態（図（Ｅ）及び図（Ｆ）参照）と、また、止め具２５の操作部２５ｄを矢符Ａ方向とは逆方向へ回動操作することで、係止片２５ｂを開口部２３から外した非ロック状態（図（Ａ）及び図（Ｂ）参照）とを選択できるようにしてある。外蓋外れ防止用ロック具２６は、ロック状態（図（Ｅ）及び図（Ｆ）参照）のときに外蓋前倒れ防止用係合具１４（図８参照）を係合状態にしたまま外蓋１３が持ち上げられて受け部２２を上方へ移動させたとしても、係止片２５ｂを開口部２３へ挿入させている状態を維持するように、係止片２５ｂの大きさを決めてある。
【００２４】
図１１に示す揺動タイプの外蓋外れ防止用ロック具２８は、エプロン本体１０に止め具２７を揺動自在に枢支２９し、止め具２７の係止片２７ｂの後面に半球状等の回止め部２７ｃを突設し、外蓋１３の受け部２２に開口周縁２３ａを弾性の板材で形成した開口部２３を設け、止め具２７の操作部２７ｄを矢符Ａ（図（Ａ）参照）へ回動操作することで、回止め部２７ｃが板材の弾性力に抗して開口周縁２３ａを拡幅変形させつつ開口周縁２３ａを乗越えて、係止片２７ｂを開口部２３へ挿入したロック状態（図（Ｃ）及び図（Ｄ）参照）と、また、止め具２７の操作部２７ｄを矢符Ａ方向とは逆方向へ回動操作することで、係止片２７ｂを開口部２３から外した非ロック状態（図（Ａ）及び図（Ｂ）参照）とを選択できるようにしてある。
【００２５】
前記エプロン本体１０は、図３及び図５（正面図）に示す如く、合成樹脂素材で成形され、左右両側に設けた袖部１０ａ，１０ａと、左右の袖部１０ａ，１０ａの間に形成した平板部１０ｂと、左右の袖部１０ａ，１０ａの間の上方に設けた膨出部１０ｃと、膨出部１０ｃから裏面側へ延設した上方接合片１０ｄと、平板部１０ｂの下端から裏面側へ延設した下方接合片１０ｅとを有し、左右の袖部１０ａ，１０ａ及び上方接合片１０ｄを浴槽３に水密に接合すると共に下方接合片１０ｅを洗い場パン４に水密に接合してある。エプロン本体１０は、その手前側表面に、平板部１０ｂの上方寄りに左右方向へ延びる複数個のエプロン本体側係合部１７を設け、平板部１０ｂの上下中間の上方に一組又は複数組の内蓋１２付きの作業口１１を設けると共に下方に左右方向へ延びる複数の受載部１９を設け、平板部１０ｂの下方に複数個の止め具２１を摺動自在に設けてある。
【００２６】
前記外蓋１３は、図３及び図６（背面図）に示す如く、合成樹脂素材で成形され、平板部１３ａの裏面側の四周縁及び左右中間に裏面側へ突出するリブ１３ｂ，１３ｃ，１３ｃ…を設け、平板部１３ａの裏面側の上方寄りに複数個の外蓋側係合部１８を設け、平板部１３ｂの上下中間に左右方向へ延びて補強リブを兼ねる当接部２０を設けると共に下方寄りに左右方向へ延びる複数の受け部２２を設けてある。外蓋１３は、当接部２０の上側に複数個のブラケット状補強リブ１３ｄを設けてある。
【００２７】
次に、本発明取付け構造１における外蓋１３の着脱の手順を説明する。外蓋１３を取付ける場合には、先ず、図７に示す取り外された外蓋１３を図中に示す傾斜状態で上方へ移動させて、外蓋前倒れ防止用係合具１４の外蓋側係合部１８の開口部１８ａにエプロン本体側係合部１７の下向き係止片１７ａを挿入して両方の係合部１７，１８どうしを係合させ、その後に図８に示すように外蓋１３を起立させると共に係合部１７，１８どうしを係合させた起立状態のまま外蓋１３を下方へ移動させて、図３に示すように外蓋１３の当接部２０をエプロン本体１０の受載部１９に載置し、受載部１９で外蓋１３の重量を支持して外蓋１３の落込みを防止する。外蓋１３は、この状態で手を離してもエプロン本体１０から前倒状態で外れることはなく自立した状態を維持している。最後に、作業者が洗い場側Ｐａからロック外蓋外れ防止用ロック具１６の止め具２１をロック操作して、止め具２１を受け部２２に係合して外蓋１３がエプロン本体１０から分離するのを防止して取付けを完了する。
【００２８】
外蓋１３を取り外す場合には、作業者が洗い場側Ｐａからロック外蓋外れ防止用ロック具１６の止め具２１を非ロック操作して、止め具２１と受け部２２の係合状態を解く。続けて、図８に示すように外蓋１３を上方へ持ち上げて外蓋１３の当接部２０をエプロン本体１０の受載部１９から浮かすと共に、図７に示すように外蓋１３を傾斜させつつ下方へ移動させて外蓋前倒れ防止用係合具１４の外蓋側係合部１８の開口部１８ａからエプロン本体側係合部１７の下向き係止片１７ａを外して係合を解き、外蓋１３の分離（取外し）を完了する。このように作業者は、外蓋１３を上下方向へ移動させると共にロック外蓋外れ防止用ロック具１６の止め具２１をロック操作又は非ロック操作するだけで外蓋１３を着脱できるので、大きな作業力を要することなく外蓋１３の着脱を簡単且つ迅速に行なうことができる。
【００２９】
（第２の実施の形態）
図１２及び図１３は第２の実施の形態に係る本発明取付け構造３１の示すものであり、図１２はエプロン本体１０に外蓋１３を取付けた状態を示す断面した左側面図、図１３はエプロン本体１０に外蓋１３を取付ける前の状態を示す断面した左側面図である。
【００３０】
第２の実施の形態に係る本発明取付け構造３１が前記第１の実施の形態に係る本発明取付け構造１（図１〜図９参照）と大きく相違する点は、エプロン本体１０の上方に設けた膨出部１０ｃの突出寸法を小さくすると共に、エプロン本体１０の手前上方に設けたエプロン本体側係合部１７の係止片１７ａを上向きとし、外蓋１３を起立状態のまま上下方向へ移動させることで（図１３参照）、上方の外蓋前倒れ防止用係合具１４の係合部１７，１８の係合・離脱ができると共に、外蓋落込み防止用支持具１５の当接部２０に受載部１９を載置・分離できるようにしてある。図面に記載した符号で前記第１の実施の形態に係る本発明取付け構造１で使用した符号と同一のものは、同一の構成部材等を示している。外蓋外れ防止用ロック具１６は、外蓋外れ防止用ロック具２６（図１０参照）又は外蓋外れ防止用ロック具２８（図１１参照）に変更することも勿論可能である。
【図面の簡単な説明】
【００３１】
【図１】第１の実施の形態に係る本発明取付け構造を有する浴室の全体を縦断面して示すものであって中間省略した左側面図である。
【図２】第１の実施の形態に係る本発明取付け構造のエプロン本体に外蓋を取付けた状態を示すものであって外蓋の一部を切欠いた正面図である。
【図３】図１のイ部を拡大したものであってエプロン本体に外蓋を取付けた状態を示す断面した左側面図である。
【図４】外蓋落込み防止用支持具の別態様を示す縦断面した左側面図である。
【図５】第１の実施の形態に係る本発明取付け構造を構成するエプロン本体を示す正面図である。
【図６】第１の実施の形態に係る本発明取付け構造を構成する外蓋を示す背面図である。
【図７】第１の実施の形態に係る本発明取付け構造のエプロン本体に外蓋を取付ける前の状態を示す断面した左側面図である。
【図８】第１の実施の形態に係る本発明取付け構造のエプロン本体に外蓋を取付ける途中の状態を示す断面した左側面図である。
【図９】外蓋外れ防止用ロック具を構成する受け部の開口部と止め具との関係を示すものであり、図（Ａ）及び図（Ｂ）は外蓋を下方へ移動させる途中において受け部の開口部へ止め具を挿入させる前の状態を示すものであり、図（Ａ）は図（Ｂ）のａ−ａ線で断面した正面図、図（Ｂ）は図（Ａ）のｂ−ｂ線で断面した側面図、図（Ｃ）は受け部の開口部へ止め具を挿入した状態を示す正面図、図（Ｄ）は止め具をロック操作して受け部に係合した状態を示す正面図、図（Ｅ）は止め具を落し込んで摺動不能状態とした正面図である。
【図１０】別態様の外蓋外れ防止用ロック具を構成する受け部の開口部と止め具との関係を示すものであり、図（Ａ）及び図（Ｂ）は受け部の開口部へ止め具を係合させない非ロック状態を示すものであり、図（Ａ）は図（Ｂ）のａ−ａ線で断面した正面図、図（Ｂ）は図（Ａ）のｂ−ｂ線で断面した側面図、図（Ｃ）及び図（Ｄ）は止め具を回動させロック操作の途中を示すものであり、図（Ｃ）は断面した正面図、図（Ｄ）は断面した側面図、図（Ｅ）及び図（Ｆ）は止め具のロック状態を示すものであり、図（Ｅ）は断面した正面図、図（Ｆ）は断面した側面図である。
【図１１】更に別態様の外蓋外れ防止用ロック具を構成する受け部の開口部と止め具との関係を示すものであり、図（Ａ）及び図（Ｂ）は受け部の開口部へ止め具を係合させない非ロック状態を示すものであり、図（Ａ）は図（Ｂ）のａ−ａ線で断面した正面図、図（Ｂ）は図（Ａ）のｂ−ｂ線で断面した側面図、図（Ｄ）及び図（Ｃ）は止め具のロック状態を示すものであり、図（Ｃ）は断面した正面図、図（Ｄ）は断面した側面図である。
【図１２】第２の実施の形態に係る本発明取付け構造の示すものであり、エプロン本体に外蓋を取付けた状態を示す断面した左側面図である。
【図１３】第２の実施の形態に係る本発明取付け構造のエプロン本体に外蓋を取付ける前の状態を示す断面した左側面図である。
【符号の説明】
【００３２】
１０…エプロン本体  １３…外蓋  １４…外蓋前倒れ防止用係合具  １５…外蓋落込み防止用支持具  １６…外蓋外れ防止用ロック具  １７，１８…係合部  １９…受載部１９  ２０…当接部  ２１…止め具２１  ２３…受け部
【図１】
0004933375.tif 000002
【図２】
0004933375.tif 000003
【図３】
0004933375.tif 000004
【図４】
0004933375.tif 000005
【図５】
0004933375.tif 000006
【図６】
0004933375.tif 000007
【図７】
0004933375.tif 000008
【図８】
0004933375.tif 000009
【図９】
0004933375.tif 000010
【図１０】
0004933375.tif 000011
【図１１】
0004933375.tif 000012
【図１２】
0004933375.tif 000013
【図１３】
0004933375.tif 000014